(57)【要約】              【課題】    衣類にシートをはさんでたたみ、丸めて収納する衣類収納シートを提供する。    【解決手段】柔軟性を有するシートと衣類等を一体に丸めて収納するように成し、シートの上部に丸めて収納した衣類等を保持するために止め具を設け、シートの上部に穴を開けてひもを通し、そのひもを、丸めた衣類を一周させて止め具に引っ掛けて固定できるようにした。また、ひもにはひも止め金具をとりつけ、ひもの長さを調節できるようにした。      また、シートには通気孔とポケットを設け、さらにシートの両側と下部に切り取り線を設けた。【選択図】    図１
2014239736.tif 000002
【特許請求の範囲】
【請求項１】
柔軟性を有するシートと、衣類等を一体に丸めて収納するように成し、シートの上部に丸めて収納した衣類等を保持するための止め部を設けた衣類収納シート。
【請求項２】
係止するための止め部には、シート上部に貫通穴を設け、その穴にひもを挿入し、シート上部に設けた止め具にひもを引っ掛けて固定するようにした請求項１記載の衣類収納シート。
【請求項３】
シートには、複数の通気孔を設け、シートに防虫剤を出し入れ自在にできるポケットを設け、該ポケットにも通気孔を有する請求項１又は請求項２記載の衣類収納シート。
【請求項４】
シートの両側には上下に、下部には左右に複数の切り取り線を等間隔に設け、衣類のサイズに応じてシートが切り離せるようにした請求項１又は請求項２又は請求項３記載の衣類収納シート。
【発明の詳細な説明】
【技術分野】
【０００１】
この発明は、衣類にシートをはさんでたたみ、丸めて収納する衣類収納シートに関する。
【背景技術】
【０００２】
従来、衣類をたたむ時、特許文献１に開示されているように、衣類の大きさに合わせて型板に入っている挿入物をスライドし、面ファスナーで固定し、衣類の上にたたみ板を当て、板の大きさに沿ってたたんで、板をはずすというやり方があった。
【先行技術文献】
【特許文献】
【０００３】
【特許文献１】特開２０１０−１３１３３６号公報
【発明の概要】
【発明が解決しようとする課題】
【０００４】
従来の技術として、特許文献１に開示されたものは、挿入板をスライドし、面ファスナーで固定して、衣類の上にたたみ板をあててたたみ、たたんだ後は板をひき抜くという煩雑さがあった。さらにたたんだ衣類を重ねてたんすの引き出しに入れるので、欲しい衣類を選び、取り出す時に周囲の衣類を乱すことがあった。
【０００５】
この発明は、上記の問題点を解決するためになされたもので、衣類をコンパクトに収納することができ、衣類を容易に取り出すことができ、さらに取り出しても、周囲の衣類を乱さない、衣類収納シートを提供することを目的とする。
【課題を解決するための手段】
【０００６】
本発明は、柔軟性を有するシートと衣類等を一体に丸めて収納するように成し、シートの上部に丸めて収納した衣類等を保持するために、係止するための止め部を設けた衣類収納シートである。
【０００７】
係止するための止め部には、シート上部に貫通穴を設け、その穴にひもを挿入し、そのひもを、丸めた衣類に一周させて、シート上部の中央に設けた止め具にひもを引っ掛けて固定するようにした衣類収納シートである。
【０００８】
また、前記ひもにはひも止め金具を取り付け、ひもの長さを自在に調節する衣類収納シートである。
【０００９】
シートには複数の通気孔を設け、シートに防虫剤を出し入れ自在にできるポケットを設け、該ポケットにも通気孔を有する衣類収納シートである。
【００１０】
シートの両側には上下に、下部には左右に複数の切り取り線を等間隔に設け、衣類のサイズに応じてシートが切り離せるようにした衣類収納シートである。
【発明の効果】
【００１１】
本発明の衣類収納シートは、シートと衣類を一体に丸めて、ひも止め金具でひもの長さを調節して、ひもを止め具に引っ掛けて止め、コンパクトに収納することができる。タンスに収納された衣類を選ぶときは、下に重ねられた衣類も容易にきれいに取り出すことができ、その際に周りの衣類の乱すことが無い。  
又、防虫剤や予備のボタンや端切れ等を入れておくポケットがあるので、予備のボタンや端切れ等の紛失防止ができる。防虫剤を入れた場合、シートやポケットに通気孔があるので、防虫剤の成分が回り易く、防虫効果も高まる。
さらに、シートの両側には上下に、下部には左右に複数の切り取り線を等間隔に設け、衣類のサイズに応じて対応する切り取り線で切り取れば、小さいサイズの衣類にも対応できる。幅を統一すれば、見た目にもきちんと並ぶ。旅行などに持っていくにも最適である。
【図面の簡単な説明】
【００１２】
【図１】本発明の正面図。
【図２】本発明の使用状態図。
【図３】本発明のシートと衣類を一緒に丸め始めた状態図。
【図４】本発明のシートと衣類を丸めた状態図。
【図５】本発明のシートと衣類を丸めて固定した状態図。
【図６】タンスの引き出しに収納した状態図。
【発明を実施するための形態】
【００１３】
以下、この発明の実施形態について、図面に基づいて説明する。
（イ）衣類（９）を一緒に丸めるために屈曲自在な柔軟性のある部材を用いたシート（１）
を設ける。
（ロ）シート（１）の上部、左右の位置に、二つの穴（２）を設け、その穴（２）にひも（３）を通し、ひも（３）の両端は穴（２）から落ちないようにそれぞれ結び玉を作っておく。ひも（３）の長さは、シートの縦の長さのほぼ２倍強の長さである。
（ハ）ひも（３）を二つに折り曲げ、その中心からひも止め金具（５）を通し、ひも（３）
の中心をひも止め金具（５）が抜け落ちないように結び玉を作っておく。
（二）シート（１）の上部の辺の中央に止め具（４）を設ける。これは、ひも（３）を引っ掛けるためのカギ型の止め具（４）である。
（ホ）シート（１）の一面には、防虫剤（１１）が挿入できるポケット（７）が設けてある。シート（１）とポケット（７）にはそれぞれ通気孔（６）を貫通させ、ほぼ全面に設けてある。
（ヘ）シート（１）の左右の辺からほぼ等距離の位置に、またシートの下部に、シート（１）の辺に平行な複数本の切り取り線（８）を設け、衣類（９）等のサイズに応じてシート（１）が切り離せるようにしてある。切り取り線（８）はミシン目にしてもよい。
本発明は以下の構成より成っている。
【００１４】
本発明を使用する時は
（イ）図２に示したように、シート（１）を衣類（９）の背の部分に当てがい、シート（１）の大きさに沿ってたたむ。
（ロ）図３〜図４に示したように、シート（１）を衣類（９）にはさんだまま、下から丸めていき、丸まったところで、ひも（３）を一周させて図５に示したように止め具（４）に掛けて止める。ひも（３）の長さを、ひも止め金具（５）を摺動させ、ゆるみの無いよう調節する。シート（１）材は柔軟性のある部材なので、シート（１）と衣類（９）が一体となって丸める事ができる。
（ハ）図１に示すように、ポケット（７）には防虫剤（１１）や、あるいは紛失しやすい予備のボタンや端切れなどを入れておく事ができるので、ボタン等が外れたりした場合、すぐに取り出して取り付けることができ、探す手間がなくなる。
又、シート（１）とポケット（７）には通気孔（６）が設けてあるので、ポケット（７）に防虫剤（１１）を入れた場合、その成分が全体に回るので、防虫効果も高まる。
（ニ）図１に示すように、シート（１）の両端と下部にある切り取り線（８）を左右は同じ位置で、下部も適宜切り取って衣類（９）をセットすれば、大きいサイズの衣類（９）から小さいサイズの衣類（９）まで、厚手のセーターでも薄いＴシャツでも幅をそろえてきちんとタンスの引き出し（１０）に並べることができる。
（ホ）図６に示すように、タンスの引き出し（１０）に衣類（９）が丸まって並んでいるので、欲しい服をすぐに見つけることができ、どの衣類（９）を取っても周囲の衣類（９）を乱すことは無い。
（ヘ）又、Ｙシャツやブラウスのように、しわになり易い物の場合、丸めず、シート（１）を当てがってたたむだけにとどめておいても、シート（１）が入っているので、型くずれしない。
（ト）また、ひも（３）は、ゴムひもでも代用できる。この場合、ひも止め金具（５）は不要となる。
【符号の説明】
【００１５】
１  シート
２  穴
３  ひも
４  止め具
５  ひも止め具
６  通気孔
７  ポケット
８  切り取り線
９  衣類
１０  タンスの引き出し
１１  防虫剤
【図１】
2014239736.tif 000003
【図２】
2014239736.tif 000004
【図３】
2014239736.tif 000005
【図４】
2014239736.tif 000006
【図５】
2014239736.tif 000007
【図６】
2014239736.tif 000008
【手続補正書】
【提出日】平成25年7月24日(2013.7.24)
【手続補正１】
【補正対象書類名】明細書
【補正対象項目名】００１５
【補正方法】変更
【補正の内容】
【００１５】１  シート
２  穴
３  ひも
４  止め具
５  ひも止め金具
６  通気孔
７  ポケット
８  切り取り線
９  衣類
１０  タンスの引き出し
１１  防虫剤